(57)【特許請求の範囲】
【請求項１】
前面に開口部を有し、内方に貯蔵室を形成する主箱体と、前記開口部を開閉自在に塞ぐ扉とを備える冷蔵庫であって、
前記主箱体の天板と床板とを含む、水平方向に配置される横板と、
前記貯蔵室の上下方向における一部を幅方向に区画して上面と正面で冷蔵庫本体に固定され、背面と下面とでは冷蔵庫本体と固定されない仕切板と、
前記横板における前記仕切板の位置を決定する第一係合部と、
前記第一係合部と上下方向に係脱可能に係合する第二係合部と、
前記仕切板の側面から幅方向に向かって突出し、前記横板の面と当接する安定部材と
を備える冷蔵庫。
【請求項２】
前記第一係合部は、奥行き方向に延びて設けられる溝であり、
前記第二係合部は、前記第一係合部に対しスライド可能に係合する突起であり、
さらに、
前記仕切板から幅方向に突出する第三係合部と、
前記横板に設けられ、前記第一係合部と前記第二係合部とが係合した状態において、奥行き方向に前記仕切板をスライドさせることにより前記第三係合部と係合して前記仕切板を固定する第四係合部と
を備える請求項１に記載の冷蔵庫。
【請求項３】
さらに、
前記仕切板の前方に上下方向に延びて前記主箱体に固定される柱体と、
前記柱体に設けられる第五係合部と、
前記仕切板に設けられ、前記第一係合部と前記第二係合部とが係合した状態において、奥行き方向に前記仕切板をスライドさせることにより前記第五係合部と係合する第六係合部と
を備える請求項２に記載の冷蔵庫。
【請求項４】
前記第三係合部と前記第四係合部が係合する部分は、幅方向において前記柱体よりも外側に配置される
請求項３に記載の冷蔵庫。
【請求項５】
前面に開口部を有し、内方に貯蔵室を形成する主箱体と、前記開口部を開閉自在に塞ぐ扉を備える冷蔵庫の組み立て方法であって、
前記主箱体の天板と床板とを含む、水平方向に配置される横板に、前記貯蔵室の上下方向における一部を幅方向に区画して上面と正面で冷蔵庫本体に固定され、背面と下面とでは冷蔵庫本体と固定されない仕切板であって、側面から幅方向に沿って突出し、前記横板の面と当接する安定部材を備える仕切板の一部を上下方向に挿入し、
前記横板に前記仕切板の一部を挿入した状態で、奥行き方向に前記仕切板をスライドさせることにより前記仕切板を前記横板に固定する
冷蔵庫の組み立て方法。
【発明の詳細な説明】
【技術分野】
【０００１】
本願発明は、冷蔵庫、特に、貯蔵室の上下方向の一部を幅方向に区画する仕切板を備える冷蔵庫、および、冷蔵庫の組み立て方法に関する。
【背景技術】
【０００２】
最近の冷蔵庫は、独立した製氷室を備える場合が多い。この製氷室は、大きな容積を必要としないため、貯蔵室の上下方向の一部を幅方向に区画し、区画された貯蔵室の一つを製氷室とし、他の貯蔵室を温度帯が変更可能な多目的室などとする場合がある。
【０００３】
以上の様に、貯蔵室の上下方向の一部を幅方向に区画する場合、貯蔵室を区画するための仕切板を取り付ける必要が生じる。この仕切板の側面には製氷室に配置される引き出しの出し入れをガイドするレールなどが設けられる場合があり、仕切板の取付強度は高い方が望ましい。
【０００４】
例えば、特許文献１に記載されているように、仕切板は、冷蔵庫の奥壁内面に対し斜めの状態で仕切板の長手方向の一端縁を係合させ、当該係合部分を軸として仕切板が奥行き方向と平行になるまで回転させ、仕切板の前方に固定されている柱体に仕切板の長手方向の他端縁を当接させて配置するものとなっている。そして、仕切板と仕切板の直上に水平方向に配置される横板とがビスなどで固定され、仕切板と柱体がビスなどで固定されている。
【０００５】
以上の様に、従来の仕切板は、少なくとも仕切板の上面と背面と正面とが冷蔵庫本体と固定されているため、高い取付強度が確保されている。
【先行技術文献】
【特許文献】
【０００６】
【特許文献１】特開２００１−６６０４９号公報
【発明の概要】
【発明が解決しようとする課題】
【０００７】
ところが、仕切板の奥側であって貯蔵室の奥側に上下方向および幅方向に広がる奥カバーの一部を取り外し、その奥にあるダンパや送風機などをメンテナンスする必要が生じる場合がある。この場合、仕切板と取り外すべき奥カバーの一部が強固に固定されていると、当該固定状態を解除するために手間がかかりメンテナンスの作業性が悪くなる。
【０００８】
一方、メンテナンス性の向上を図るため、仕切板と奥カバーとの固定状態を弱くしたり、解除したりすると、仕切板の取付強度が低下するため、製氷室の引き出しを出し入れする際にがたついたりするなどの不具合が発生する。
【０００９】
本願発明は、上記課題に鑑みなされたものであり、貯蔵室の上下方向の一部を幅方向に区画する仕切板と、当該仕切板の上方、または、下方に水平方向に配置される横板との間で高い取付強度を確保することにより、奥カバーなどとの固定状態を無くすことのできる仕切体と横板を備えた冷蔵庫、および、この冷蔵庫の組み立て方法に関する。
【課題を解決するための手段】
【００１０】
上記目的を達成するために、本願発明にかかる冷蔵庫は、前面に開口部を有し、内方に貯蔵室を形成する主箱体と、前記開口部を開閉自在に塞ぐ扉とを備える冷蔵庫であって、前記主箱体の天板と床板とを含む、水平方向に配置される横板と、前記貯蔵室の上下方向における一部を幅方向に区画上面と正面で冷蔵庫本体に固定され、背面と下面とでは冷蔵庫本体と固定されない仕切板と、前記横板における前記仕切板の位置を決定する第一係合部と、前記第一係合部と上下方向に係脱可能に係合する第二係合部と、前記仕切板の側面から幅方向に向かって突出し、前記横板の面と当接する安定部材とを備えることを特徴としている。
【００１１】
これによれば、仕切板から離れた横板の表面と安定部材とが当接するため、仕切板の幅方向の揺動に対し、安定部材が強いモーメントを発生させて抗することが可能となる。従って、仕切体の横板に対する取付強度を高めることが可能となる。
【００１２】
また、前記第一係合部は、奥行き方向に延びて設けられる溝であり、前記第二係合部は、前記第一係合部に対しスライド可能に係合する突起であり、さらに、前記仕切板から幅方向に突出する第三係合部と、前記横板に設けられ、前記第一係合部と前記第二係合部とが係合した状態において、奥行き方向に前記仕切板をスライドさせることにより前記第三係合部と係合して前記仕切板を固定する第四係合部とを備えてもかまわない。
【００１３】
これによれば、第一係合部と第二係合部との係合により横板に対する仕切板の幅方向の位置を決定することができると共に、仕切板を横板に対してスライドさせるだけで横板に固定することができ、仕切板の取付作業を容易にして、冷蔵庫の組み立て作業性を向上させることが可能となる。
【００１４】
さらに、前記仕切板の前方に上下方向に延びて前記主箱体に固定される柱体と、前記柱体に設けられる第五係合部と、前記横板に設けられ、前記第一係合部と前記第二係合部とが係合した状態において、奥行き方向に前記仕切板をスライドさせることにより前記第五係合部と係合する第六係合部とを備えてもよい。
【００１５】
これによれば、冷蔵庫の組み立て作業性を損なうことなく、スライド操作だけで柱体と仕切板とを係合させることができ、仕切板の取付強度をさらに向上させることが可能となる。
【００１６】
また、前記第三係合部と前記第四係合部が係合する部分は、幅方向において前記柱体よりも外側に配置されることが好ましい。
【００１７】
これによれば、第三係合部と第四係合部とが係合する部分が柱体の影に隠れないため、主箱体の壁部などの内方に発泡性樹脂を充填する際に、当該係合部分に容易に治具を配置することができ、第四係合部の上下方向の位置精度を高めることができる。従って、第四係合部と係合する第三係合部を介して仕切板の上下方向の取付制度を高めることができる。
【００１８】
従って、仕切板の側面に対向する主箱体との壁面と仕切体との間で架橋状に配置される製氷室の引き出しなどが傾かず、また、引き出しなどを奥行き方向に出し入れする際にがたつきなどの不具合が発生することを抑制できる。
【００１９】
また、上記目的を達成するために、本願発明に係る冷蔵庫の組み立て方法は、前面に開口部を有し、内方に貯蔵室を形成する主箱体と、前記開口部を開閉自在に塞ぐ扉を備える冷蔵庫の組み立て方法であって、前記主箱体の天板と床板とを含む、水平方向に配置される横板に、前記貯蔵室の上下方向における一部を幅方向に区画上面と正面で冷蔵庫本体に固定され、背面と下面とでは冷蔵庫本体と固定されない仕切板であって、側面から幅方向に沿って突出し、前記横板の面と当接する安定部材を備える仕切板の一部を上下方向に挿入し、前記横板に前記仕切板の一部を挿入した状態で、奥行き方向に前記仕切板をスライドさせることにより前記仕切板を前記横板に固定することを特徴としている。
【００２０】
これによれば、安定部材が仕切板から離れた位置の横板の表面と当接するため、仕切板の幅方向の揺動に対し、強いモーメントを発生させて抗することが可能となる。従って、仕切体の横板に対する取付強度を高めることが可能となる。また、第一係合部と第二係合部との係合により横板に対する仕切板の幅方向の位置を決定することができると共に、仕切板を横板に対してスライドさせるだけで横板に固定することができ、仕切板の取付作業を容易にして、冷蔵庫の組み立て作業性を向上させることが可能となる。
【発明の効果】
【００２１】
本願発明によれば、仕切板と冷蔵庫の奥カバーとが強く係合していない場合でも、仕切板の横板に対する高い取付強度を確保することが可能となる。
【図面の簡単な説明】
【００２２】
【図１】図１は、冷蔵庫の外観を模式的に示す斜示図である。
【図２】図２は、扉を排して冷蔵庫の内部を模式的に示す斜示図である。
【図３】図３は、冷蔵庫の縦断面を側面から示した平面図である。
【図４】図４は、第一横板の要部を下方から示す斜示図である。
【図５】図５は、第一横板の要部を断面で示す平面図である。
【図６】図６は、仕切板を示す斜示図である。
【図７】図７は、仕切板を模式的に示す斜示図である。
【図８】図８は、仕切板と第一横板の下板とを一部を切り欠いて幅方向から示す平面図である。
【図９】図９は、仕切板と第一横板の下板とを一部を切り欠いて幅方向から示す平面図である。
【図１０】図１０は、仕切板と第一横板の下板とを一部を切り欠いて幅方向から示す平面図である。
【図１１】図１１は、仕切板と第一横板の下板とを一部を切り欠いて奥行き方向から示す平面図である。
【図１２】図１２は、発泡性の樹脂を充填する際の横板と柱体と軸との関係を奥行き方向から示す平面図である。
【発明を実施するための形態】
【００２３】
次に、本願発明に係る冷蔵庫の実施の形態について、図面を参照しつつ説明する。なお、以下の実施の形態は、本願発明に係る冷蔵庫の一例を示したものに過ぎない。従って、本願発明は、以下の実施の形態に基づき請求の範囲の文言によって範囲が画定される。
【００２４】
図１は、冷蔵庫の外観を模式的に示す斜示図である。
【００２５】
図２は、扉を排して冷蔵庫の内部を模式的に示す斜示図である。
【００２６】
図３は、冷蔵庫の縦断面を側面から示した平面図である。
【００２７】
これらの図に示すように、冷蔵庫１００は、周囲の温度より内方の温度を低く維持して、内方に貯蔵される貯蔵物を保管する装置であり、主箱体１０１と、扉１０２と、横板１０３と、仕切板１０４と、柱体１０５とを備えている。
【００２８】
主箱体１０１は、前面に開口し、内方に貯蔵室１０６を形成する筐体であって、冷蔵庫１００の外殻を形成する部材であり、断熱性能を備えた部材により形成されている。主箱体１０１は、横板１０３として機能する天板１１１、および、床板１１２を備え、さらに、右側壁１１３と、左側壁１１４と、奥壁１１５とを備えており、天板１１１と、床板１１２と、右側壁１１３と、左側壁１１４と、奥壁１１５とは、一体に成形される。また、主箱体１０１は、図３中の拡大図（破線円の内側の図）に示すように、金属製の外箱１１６と樹脂製の内箱１１７との２重構造を備え、外箱１１６と内箱１１７との間に発泡性の樹脂１１８が充填されることにより、断熱性能を確保している。
【００２９】
主箱体１０１の内方奥側（冷凍室１６２の奥）には、断熱性のある奥カバー１８１により区画された、冷却室１８０が設けられている。冷却室１８０は、冷凍サイクルにおける蒸発器などの吸熱側（低温側）の装置が配置される空間である。また、冷蔵庫１００は、冷却室１８０で冷却された空気を送風機１８３によって貯蔵室１０６内に供給し、貯蔵室１０６から冷却室１８０に回収することにより、貯蔵室１０６を冷却している。
【００３０】
また、冷却室１８０からの冷気は、ダンパ１８２によって、流量が制御され、温度帯の異なる貯蔵室に適した流量の冷気が供給されるように調整されている。
【００３１】
扉１０２は、主箱体１０１の前面に開口する開口部を開閉自在に塞ぐ板状の部材である。扉１０２は、ヒンジを介して主箱体１０１に取り付けられ回動により開閉を行うものや、引き出しの前板のように、レールに案内されて、開口部の面と平行に引き出され、押し込まれることにより開閉を行うものがある。扉１０２は、金属製の外板と樹脂製の内板との間に発泡性の樹脂が充填された構造となっており、主箱体１０１と共に、貯蔵室１０６と冷蔵庫１００の外部環境とを遮断し断熱している。
【００３２】
横板１０３は、冷蔵庫１００において、水平方向に配置される板状の部材である。横板１０３の内、天板１１１と床板１１２とは、貯蔵室１０６と外部環境とを上下に仕切る部材であり、他の横板１０３は、貯蔵室１０６を上下方向に仕切る部材である。
【００３３】
貯蔵室１０６内の上部に配置される横板１０３である第一横板１３１は、貯蔵室１０６を冷蔵室１６１と冷凍室１６２とを上下に区画している。貯蔵室１０６内の下部に配置される横板１０３である第二横板１３２は、冷凍室１６２と野菜室１６３とを上下に区画している。
【００３４】
本実施の形態の場合、横板１０３は、主箱体１０１に発泡性の樹脂を充填する際に同時に発泡性の樹脂が充填される構造が採用されている。
【００３５】
なお、第一横板１３１と第二横板１３２とは、主箱体１０１と完全に別体でもかまわない。つまり、主箱体１０１が製造された後、第一横板１３１や第二横板１３２を主箱体１０１に取り付けるものでもかまわない。
【００３６】
図４は、第一横板の要部を下方から示す斜示図である。
【００３７】
図５は、第一横板の要部を断面で示す平面図である。
【００３８】
同図に示すように、第一横板１３１は、上板１３３と下板１３４と層状に備え、上板１３３と下板１３４との間に発泡性の樹脂１１８が充填されて形成されるものである。さらに第一横板１３１は、第一係合部１３５と、第四係合部１３６と、通過部１３７と、安定溝１３８とを備えている。
【００３９】
第一係合部１３５は、横板１０３（第一横板１３１）における仕切板１０４の位置を決定する部分である。本実施の形態の場合、第一係合部１３５は、奥行き方向（Ｘ軸方向）に延びて設けられる溝である。また、第一係合部１３５は、２本設けられており、奥行き方向の手前（Ｘ軸のマイナス側）に向かって相互の距離が徐々に広がるテーパ状となっている。これにより、後述の第二係合部１４１と係合状態でスライドさせることで、第二係合部１４１を介して仕切板１０４の位置を決定することが可能となる。
【００４０】
第四係合部１３６は、第一係合部１３５と第二係合部１４１（後述）とが係合した状態において、奥行き方向に仕切板１０４をスライドさせることにより第三係合部１４３（後述）と係合して仕切板１０４を横板１０３に固定する部分である。本実施の形態の場合、第四係合部１３６は、幅方向（Ｙ軸方向）に突出した部分となっている。
【００４１】
通過部１３７は、横板１０３（第一横板１３１）と仕切板１０４とを組み合わせる際に、第三係合部１４３（後述）を上下方向（Ｚ軸方向）に通過させるための部分である。本実施の形態の場合、通過部１３７は、幅方向（Ｙ軸方向）に凹陥させた溝として第四係合部１３６に設けられており、第三係合部１４３を通過部１３７に通過させることにより、第三係合部１４３を横板１０３の内方に挿入することができるものとなっている。
【００４２】
安定溝１３８は、第一係合部１３５の幅方向の外側に第一係合部１３５に沿って設けられた溝であり、仕切板１０４に設けられた安定部材１４２（後述）と係合することにより、仕切板１０４の水平面（ＸＹ平面）内での回転を抑制する部分である。また、安定溝１３８は、安定部材１４２と係合した状態で奥行き方向にスライドできるものとなっている。
【００４３】
なお、具体的に第一横板１３１は、図４や図５に示すような単純な形状ではない。例えば、発泡性の樹脂１１８の充填時の圧力に抗するため、多数のリブが設けられている。また、第一横板１３１のＺ軸方向のマイナス側(下側）に突出する部分の先端は、できる限り一つの水平面に乗るものとなっている。特に、第四係合部１３６の下側の先端は、前記水平面に乗るものとなっている。これは後述の治具Ｂの面と第一横板１３１との接触面積をできる限り多くするための構造である。
【００４４】
図６は、仕切板を示す斜示図である。
【００４５】
図７は、仕切板を模式的に示す斜示図である。
【００４６】
これらの図に示すように、仕切板１０４は、貯蔵室１０６の上下方向における一部を幅方向に区画する部材であり、第二係合部１４１と、安定部材１４２とを備えている。さらに、仕切板１０４は、第三係合部１４３と、第六係合部１４４と、ストッパ１４５とを備えている。本実施の形態の場合、仕切板１０４は、貯蔵室１０６を区画するが、幅方向には多数の貫通孔が設けられており、幅方向の冷気の流通は許容されている。また、仕切板１０４は、全体視では板状であるが、軽量化などのため多数のリブで構成された樹脂製の部材である。
【００４７】
第二係合部１４１は、第一係合部１３５と上下方向に係脱可能に係合する部分である。本実施の形態の場合、第一係合部１３５が溝であるので、第二係合部１４１は、奥行き方向（Ｘ軸方向）に伸び、幅方向（Ｙ軸方向）に上下方向（Ｚ軸方向）に突出した板状の突条である。従って、第一係合部１３５と第二係合部１４１とが係合した状態において、奥行き方向にスライド可能となっている。
【００４８】
なお、第一係合部１３５が突起で、第二係合部１４１が溝であってもかまわない。
【００４９】
安定部材１４２は、第一係合部１３５と第二係合部１４１とが係合した状態において、仕切板１０４の側面から幅方向に向かって突出し、横板１０３の面と当接する部材である。本実施の形態の場合、安定部材１４２は、仕切板１０４から一体に突設した板状の部材であり、幅方向の先端は、屈曲して上下方向に延びた形状となっている。
【００５０】
なお、安定部材１４２は、本実施の形態においては、幅方向の両側に向かって突出しているが、片側でもかまわない。また、奥行き方向に並べて備えているが、奥行き方向に一つだけでもかまわない。
【００５１】
第三係合部１４３は、仕切板１０４から幅方向（Ｙ軸方向）に突出する部分である。本実施の形態の場合、第三係合部１４３は、第二係合部１４１の上下方向の先端に配置され幅方向の外側に向かって突出するものとなっている。これによって、第三係合部１４３が、第一横板１３１の面よりも奥に挿入することができ、冷蔵庫１００を製造する上で有効に働く（詳細は後述）。
【００５２】
また、第三係合部１４３は、奥行き方向に複数個設けられ、幅方向にも対象に複数個設けられている。これにより、仕切板１０４を横板１０３に固定した際の取付強度を向上させることができ、また、安定した取付状態を確保することが可能となる。
【００５３】
なお、本実施の形態では、第三係合部１４３を仕切板１０４に設けられる独立した部分として説明したが、例えば安定部材１４２の一部が第三係合部１４３として機能していてもかまわない。
【００５４】
第六係合部１４４は、第一係合部１３５と第二係合部１４１とが係合した状態において、奥行き方向に仕切板１０４をスライドさせることにより柱体１０５と係合する仕切板１０４に設けられる部分である。本実施の形態の場合、第六係合部１４４は、奥行き方向の手前向き（Ｘ軸方向のマイナス向き)に突出する板状の部分であり、二つの第六係合部１４４により柱体１０５を挟み込むことにより仕切板１０４の取付状態を安定させるものである。
【００５５】
ストッパ１４５は、第一係合部１３５と第二係合部１４１とを係合させた状態で仕切板１０４をスライドさせ、所定の位置に到達した段階で、第一横板１３１と係合することにより第一横板１３１に対する仕切板１０４のスライドを規制する部分である。
【００５６】
これにより、仕切板１０４の固定状態を維持することができるため、仕切板１０４を第一横板１３１に固定するためのビスの数を抑制し、又は、なくすことが可能となる。
【００５７】
さらに、仕切板１０４の側面にはレール１４６が設けられている。
【００５８】
レール１４６は、仕切板１０４の側面と対向する面、例えば主箱体１０１の内壁面に設けられた同様のレールとにより、引き出し１０７（図３参照）の出し入れを案内する部分である。
【００５９】
柱体１０５は、主箱体１０１の前部に幅方向に渡して設けられる梁１５１と横板１０３との間を上下方向に結ぶ部材である。本実施の形態の場合、柱体１０５の内部にはヒートサイクルにおける高温側の配管が設けられており、霜が付着することを防止している。
【００６０】
次に、本願発明に係る冷蔵庫の組み立て方法について説明する。
【００６１】
図８は、仕切板と第一横板の下板とを一部を切り欠いて幅方向から示す平面図である。
【００６２】
図９は、仕切板と第一横板の下板とを一部を切り欠いて幅方向から示す平面図である。
【００６３】
図１０は、仕切板と第一横板の下板とを一部を切り欠いて幅方向から示す平面図である。
【００６４】
まず、図８に示すように、第一横板１３１の下方に仕切板１０４を配置し、第三係合部１４３が通過部１３７を通過するように、仕切板を持ち上げる（矢印方向）。そして、安定部材１４２と第一横板１３１の下面とが当接するまで仕切板１０４を持ち上げることで、第三係合部１４３を横板１０３の内方に配置する。また、安定部材１４２の屈曲した先端部も安定溝１３８に挿入された状態となる。
【００６５】
次に、上記の状態のまま、図９に示すように仕切板１０４を矢印方向にスライドさせる。
【００６６】
以上の操作により、図１０に示すように、第三係合部１４３と第四係合部１３６とが上下方向に係合する。また、第六係合部１４４は、幅方向に挟み込むように柱体１０５と係合する。
【００６７】
この状態において、仕切板１０４は、柱体１０５によって柱体１０５に向かう方向のスライドが規制されると共に、ストッパ１４５が第一横板１３１と係合することで、仕切板１０４は、柱体１０５から離れる方向にスライドすることも規制される。すなわち、当該操作により仕切板１０４が、ビスなどを用いることなく第一横板１３１に固定される。
【００６８】
図１１は、仕切板と第一横板の下板とを一部を切り欠いて奥行き方向から示す平面図である。同図は、仕切板１０４が第一横板１３１に固定された状態を示している。
【００６９】
同図に示すように、第一係合部１３５と第二係合部１４１とが係合状態となることで、仕切板１０４の第一横板１３１における位置が決定される。
【００７０】
また、第四係合部１３６と第三係合部１４３とが係合することにより、安定部材１４２と第三係合部１４３とで第四係合部１３６を上下方向に挟み込む状態となり、第一横板１３１と仕切板１０４とが強固に固定される。
【００７１】
また、安定部材１４２と第一横板１３１とが、仕切板１０４から幅方向に離れた位置で当接しているため、幅方向の仕切板１０４の揺動Ａに抗する強いモーメントを発生させることができ、仕切板１０４の取付状態を安定させることが可能となる。
【００７２】
また、安定部材１４２の屈曲した先端部は、第一横板１３１に設けられた安定溝１３８に当接しているため、さらに、第一横板１３１に対する仕切板１０４の取付状態を安定させることが可能となる。本実施の形態の場合、日本の安定溝１３８は、奥行き方向の手前に向かって相互の幅が狭くなるテーパ状となっており、仕切板１０４を手前にスライドさせることで、幅方向に対象に配置される安定部材１４２の屈曲した二つの先端部は、安定溝１３８の外側の壁とそれぞれ強く当接することとなる。これによって、さらに仕切板の取付状態を安定させることが可能となる。
【００７３】
図１２は、発泡性の樹脂を充填する際の横板と柱体と軸との関係を奥行き方向から示す平面図である。
【００７４】
同図に示すように、治具Ｂは、主箱体１０１の開口部から奥行き方向に挿入して配置するため、柱体１０５を回避した状態で配置される。すなわち、柱体１０５の影になる部分に治具Ｂを配置することは困難である。
【００７５】
しかし、安定部材１４２と第三係合部１４３とで挟み込まれる第四係合部１３６の先端面は、柱体１０５よりも幅方向の外に配置されているため、第一横板１３１の他の面と同様に、治具Ｂに当接状態となる。従って、発泡性の樹脂を充填する際に発生する発泡圧力（矢印で示す）が、第一横板１３１の下板１３４にかかったとしても、治具Ｂによって発泡圧力に抗する力が付与され、第四係合部１３６は、膨出したり、歪んだりすることが可及的に抑制される。従って、樹脂の充填後においても第四係合部１３６の位置精度を高い状態で維持することができる。
【００７６】
これにより、第三係合部１４３は、通過部１３７を通過して横板１０３に挿入した後、安定部材１４２が第四係合部１３６と当接し、第三係合部１４３と安定部材１４２とが第四係合部１３６を挟持することで、仕切板１０４は、上下方向において高い位置精度で固定することが可能となる。従って、仕切板１０４に設けられたレール１４６は、主箱体１０１の内壁面に設けられた同様のレールと正確に平行を維持することができ、引き出し１９７（図３参照）を出し入れするに際のがたつきなどの不具合を可及的に抑制することが可能となる。
【００７７】
さらに、仕切板１０４は、主箱体１０１の奥側に配置される奥カバー１８１（図３参照）と係合しなくとも、高い取付強度を得ることができる。従って、仕切板１０４を第一横板１３１に取り付けた状態において、奥カバー１８１の着脱が可能となり、奥カバー１８１に覆われたダンパ１８２や送風機１８３などのメンテナンスの作業性を向上させることが可能となる。
【００７８】
なお、本願発明は、上記実施の形態に限定されるものではない。例えば、本明細書において記載した構成要素を任意に組み合わせて、また、構成要素のいくつかを除外して実現される別の実施の形態を本願発明の実施の形態としてもよい。また、上記実施の形態に対して本願発明の主旨、すなわち、特許請求の範囲に記載される文言が示す意味を逸脱しない範囲で当業者が思いつく各種変形を施して得られる変形例も本願発明に含まれる。
【００７９】
例えば、上記実施の形態において、仕切板１０４の横板１０３への固定についてビスなどによる固定への言及はないが、ビスなどによる固定（締結）を除外するものではない。
【００８０】
また、仕切板１０４を幅方向に左右対称なものとして説明しているが、非対称でもかまわない。
【産業上の利用可能性】
【００８１】
本願発明は、家庭用や業務用の冷蔵庫に適用可能である。
【符号の説明】
【００８２】
１００  冷蔵庫
１０１  主箱体
１０２  扉
１０３  横板
１０４  仕切板
１０５  柱体
１０６  貯蔵室
１１１  天板
１１２  床板
１１３  右側壁
１１４  左側壁
１１５  奥壁
１１６  外箱
１１７  内箱
１１８  樹脂
１３１  第一横板
１３２  第二横板
１３３  上板
１３４  下板
１３５  第一係合部
１３６  第四係合部
１３７  通過部
１３８  安定溝
１４１  第二係合部
１４２  安定部材
１４３  第三係合部
１４４  第六係合部
１４５  ストッパ
１４６  レール
１５１  梁
１６１  冷蔵室
１６２  冷凍室
１６３  野菜室
１８０  冷却室
１８１  奥カバー
１８２  ダンパ
１８３  送風機
【図１】
0005747172.tif 000002
【図２】
0005747172.tif 000003
【図３】
0005747172.tif 000004
【図４】
0005747172.tif 000005
【図５】
0005747172.tif 000006
【図６】
0005747172.tif 000007
【図７】
0005747172.tif 000008
【図８】
0005747172.tif 000009
【図９】
0005747172.tif 000010
【図１０】
0005747172.tif 000011
【図１１】
0005747172.tif 000012
【図１２】
0005747172.tif 000013